【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
装置によるワイヤレス通信の方法であって、
発見フレームを中継することができる中継デバイスによって変更可能な1つまたは複数の中継特有のフィールドを有する前記発見フレームを構築するステップと、
前記1つまたは複数の中継特有のフィールドを初期化するステップと、
セキュリティキー、初期化された1つまたは複数の中継特有のフィールド、前記発見フレームを中継することができる中継デバイスの識別子、および時間とともに変化するパラメータに少なくとも部分的に基づいて、メッセージ完全性チェック(MIC)値を生成するステップと、
第1の1つまたは複数のデータパケットを含む第1のワイヤレス信号を介して、前記MIC値および前記中継特有のフィールドを含むが、前記セキュリティキーを欠いている前記発見フレームを送信するステップと
を含む方法。
【請求項２】
前記発見フレームは、1つまたは複数のベンダーによって提供される商品もしくはサービスに関する情報を含む請求項1に記載の方法。
【請求項３】
前記1つまたは複数の中継特有のフィールドは、前記発見フレームが中継された回数を指示するホップカウントフィールドまたは前記発見フレームの最初の送信以降の中継の発見スロットの個数を指示する発見スロットカウントフィールドのうちの少なくとも1つを含む請求項1に記載の方法。
【請求項４】
前記発見フレームを中継するために利用可能な中継デバイスに対するクエリに応答して、第2の1つまたは複数のデータパケットを含む第2のワイヤレス信号を介して、前記中継デバイスの前記識別子を取得するステップ、または、
第2の1つまたは複数のデータパケットを含む第2のワイヤレス信号を介して、前記中継デバイスによって送信された発見フレームを介した前記中継デバイスの前記識別子を取得するステップ、または、
第2の1つまたは複数のデータパケットを含む第2のワイヤレス信号を介して、検証された前記発見フレームを取得することができるデバイスに中継されるべき要求を送信するステップと、
それに応答して、第3の1つまたは複数のデータパケットを含む第3のワイヤレス信号を介して、前記発見フレームを検証することができる前記デバイスから前記中継デバイスの前記識別子を受信するステップと
をさらに含む請求項1に記載の方法。
【請求項５】
装置によるワイヤレス通信の方法であって、
第1の1つまたは複数のデータパケットを含む第1のワイヤレス信号を介して、発見フレームを中継することができる中継デバイスによって変更可能な1つまたは複数の中継特有のフィールドを有する前記発見フレームと、セキュリティキー、初期化された1つまたは複数の中継特有のフィールド、前記発見フレームを中継することができる中継デバイスの識別子、および時間とともに変化するパラメータに少なくとも部分的に生成されるメッセージ完全性チェック(MIC)値とを受信するステップと、
前記1つまたは複数の中継特有のフィールドのうちの1つまたは複数を調整するステップと、
第2の1つまたは複数のデータパケットを含む第2のワイヤレス信号を介して、受信されたとおりの前記MIC値と前記中継特有のフィールドの前記調整済み値とを含む前記発見フレームを送信するステップと
を含む方法。
【請求項６】
前記発見フレームは、1つまたは複数のベンダーによって提供される商品もしくはサービスに関する情報を含むか、または、
前記1つまたは複数の中継特有のフィールドは、前記発見フレームが中継された回数を指示するホップカウントフィールドまたは前記発見フレームの最初の送信以降の中継の発見スロットの個数を指示する発見スロットカウントフィールドのうちの少なくとも1つを含む請求項5に記載の方法。
【請求項７】
第3の1つまたは複数のデータパケットを含む第3のワイヤレス信号を介して、前記発見フレームを中継するために利用可能な中継デバイスに対するクエリを受信するステップと、
第4の1つまたは複数のデータパケットを含む第4のワイヤレス信号を介して、前記装置の識別で前記クエリに応答するステップと
をさらに含むか、または、
第3の1つまたは複数のデータパケットを含む第3のワイヤレス信号を介して、前記発見フレームを中継する要求を送信するステップをさらに含む請求項5に記載の方法。
【請求項８】
発見フレームを検証することができるエンティティによるワイヤレス通信の方法であって、
メッセージ完全性チェック(MIC)値を計算するために使用されるセキュリティキーを提供するステップと、
第1の1つまたは複数のデータパケットを含む第1のワイヤレス信号を介して、MIC値と発見フレームを中継することができる中継デバイスによって変更可能な1つまたは複数の中継特有のフィールドとを含む前記発見フレームを受信するステップであって、前記MIC値は、セキュリティキー、初期化された1つまたは複数の中継特有のフィールド、および前記発見フレームを中継することができる中継デバイスの識別子に少なくとも部分的に基づいて生成された、ステップと、
前記セキュリティキー、前記発見フレーム内の情報、前記1つまたは複数の中継特有のフィールドの調整済み値、前記中継デバイスの前記識別子、および時間とともに変化するパラメータに基づきMIC値をローカルで生成するステップと、
前記発見フレームに含まれる前記MIC値と前記ローカルで生成されたMIC値との比較結果に基づき前記発見フレームに対する検証機能を実行するステップと
を含む方法。
【請求項９】
前記発見フレームは、1つまたは複数のベンダーによって提供される商品もしくはサービスに関する情報を含む請求項8に記載の方法。
【請求項１０】
前記1つまたは複数の中継特有のフィールドは、前記発見フレームが中継された回数を指示するホップカウントフィールドまたは前記発見フレームを中継するための送信期間を指示する発見スロットカウントフィールドのうちの少なくとも1つを含む請求項8に記載の方法。
【請求項１１】
前記MIC値を生成する前に前記1つまたは複数の中継特有のフィールドの値を初期値に調整するステップをさらに含むか、または、
第2の1つまたは複数のデータパケットを含む第2のワイヤレス信号を介して、中継デバイスからサブスクライブする要求を受信するステップと、
前記中継デバイスに、第3の1つまたは複数のデータパケットを含む第3のワイヤレス信号を介して、前記中継デバイスの前記識別子を送信するステップと
をさらに含むか、または、
アナウンサーデバイスから、第2の1つまたは複数のデータパケットを含む第2のワイヤレス信号を介して、前記発見フレームが中継されることに対する要求を受信するステップと、
前記要求に応答して、1つまたは複数の基準に基づき前記発見フレームを中継する中継デバイスを選択するステップと、
前記アナウンサーデバイスに、第3の1つまたは複数のデータパケットを含む第3のワイヤレス信号を介して、前記選択された中継デバイスの識別を送信するステップと
をさらに含む請求項8に記載の方法。
【請求項１２】
ワイヤレス通信のための装置であって、
発見フレームを中継することができる中継デバイスによって変更可能な1つまたは複数の中継特有のフィールドを有する前記発見フレームを構築するための手段と、
前記1つまたは複数の中継特有のフィールドを初期化するための手段と、
セキュリティキー、初期化された1つまたは複数の中継特有のフィールド、前記発見フレームを中継することができる中継デバイスの識別子、および時間とともに変化するパラメータに少なくとも部分的に基づいてメッセージ完全性チェック(MIC)値を生成するための手段と、
第1の1つまたは複数のデータパケットを含む第1のワイヤレス信号を介して、前記MIC値および前記中継特有のフィールドを含むが、前記セキュリティキーを欠いている前記発見フレームを送信するための手段と
を備える装置。
【請求項１３】
ワイヤレス通信のための装置であって、
第1の1つまたは複数のデータパケットを含む第1のワイヤレス信号を介して、発見フレームを中継することができる中継デバイスによって変更可能な1つまたは複数の中継特有のフィールドを有する前記発見フレームと、セキュリティキー、初期化された1つまたは複数の中継特有のフィールド、前記発見フレームを中継することができる中継デバイスの識別子、および時間とともに変化するパラメータに少なくとも部分的に生成されるメッセージ完全性チェック(MIC)値とを受信するための手段と、
前記1つまたは複数の中継特有のフィールドのうちの1つまたは複数を調整するための手段と、
第2の1つまたは複数のデータパケットを含む第2のワイヤレス信号を介して、受信されたとおりの前記MIC値と前記中継特有のフィールドの前記調整済み値とを含む前記発見フレームを送信するための手段と
を備える装置。
【請求項１４】
発見フレームを検証することができる装置であって、
メッセージ完全性チェック(MIC)値を計算するために使用されるセキュリティキーを提供するための手段と、
第1の1つまたは複数のデータパケットを含む第1のワイヤレス信号を介して、MIC値と発見フレームを中継することができる中継デバイスによって変更可能な1つまたは複数の中継特有のフィールドとを含む前記発見フレームを受信するための手段であって、前記MIC値は、セキュリティキー、初期化された1つまたは複数の中継特有のフィールド、および前記発見フレームを中継することができる中継デバイスの識別子に少なくとも部分的に基づいて生成された、手段と、
前記セキュリティキー、前記発見フレーム内の情報、前記1つまたは複数の中継特有のフィールドの調整済み値、前記中継デバイスの前記識別子、および時間とともに変化するパラメータに基づきMIC値をローカルで生成するための手段と、
前記発見フレームに含まれる前記MIC値と前記ローカルで生成されたMIC値との比較結果に基づき前記発見フレームに対する検証機能を実行するための手段と
を備える装置。
【請求項１５】
請求項１乃至11の何れか1項に記載の方法を実施するようにコンピュータにより実行可能な命令を含む、コンピュータ・プログラム。